(57)【要約】      （修正有）【課題】円柱状の物品であっても箱の内部で安定的に保持できる包装用箱を提供する。【解決手段】包装用箱は、物品の底面に対向し、短辺の長さが底面の径より短い方形状の底板と、底板における一方の長辺に第１折目１１を介して連設され、物品の側面に対向する第１側板と、底板における他方の長辺に第２折目１２を介して連設され、物品の側面に対向する第２側板３と、物品における、天面に対向し、各辺の長さが天面の径以上である方形状の頂板４と、第１折目１１の長手方向の中間部に第１折目１１に沿って延びるように形成され、物品の底角部に嵌合する第１切断部３１、及び第２折目１２の長手方向の中間部に第２折目１２に沿って延びるように形成され、物品の底角部に嵌合する第２切断部３２とを備え、頂板４と底板との垂直距離は、物品における底面と天面との垂直距離に等しいことを特徴とする。【選択図】図３
0003215306.tif 000002
【実用新案登録請求の範囲】
【請求項１】
円形の底面及び天面を有する物品を包装する包装用箱であって、
前記底面に対向し、四辺のうち、対向する一組の二辺である第１辺及び第２辺の長さが前記底面の径より短い方形状の底板と、
前記底板における前記四辺のうち、前記第１辺及び前記第２辺に交差する第３辺に第１折目を介して連設され、前記物品の側面に対向する第１側板と、
前記底板における、前記第３辺に対向する第４辺に第２折目を介して連設され、前記物品の前記側面に対向する第２側板と、
前記物品の前記天面に対向し、各辺の長さが前記天面の径以上である方形状の頂板と、
前記第１折目における長手方向の中間部に前記第１折目に沿って延びるように形成され、前記物品の底角部に嵌合する第１切断部と、
前記第２折目の長手方向の中間部に前記第２折目に沿って延びるように形成され、前記物品の前記底角部に嵌合する第２切断部と
を備え、
前記頂板と前記底板との垂直距離は、前記物品における前記底面と前記天面との垂直距離に等しいことを特徴とする包装用箱。
【請求項２】
前記第３辺及び前記第４辺の長さが前記底面の径以上であることを特徴とする請求項１に記載の包装用箱。
【請求項３】
前記頂板は、前記物品における前記天面の一部を露出させる開口部を有することを特徴とする請求項１又は請求項２に記載の包装用箱。
【請求項４】
前記頂板の一端部であって、前記第３辺及び前記第４辺が延びる方向に交差する方向に延びる一端部から延出する延出板部と、
前記延出板部に形成され、外部の部材に係合する係合孔と
を備えることを特徴とする請求項１から請求項３のいずれかに記載の包装用箱。
【考案の詳細な説明】
【技術分野】
【０００１】
本考案は、包装用箱に係り、特に、内部で物品を安定的に保持できる包装用箱に関するものである。
【背景技術】
【０００２】
従来、底面が円形の物品を包装する包装用箱として、特許文献１には、逆円錐台形状の物品を包装する包装用箱が記載されている。逆円錐台形状の物品は、下側の小径部と上側の大径部とを有する。特許文献１に記載の包装用箱においては、物品の大径部に対向する頂壁と、物品の側面に対向する両側壁との境界に、一対の切断線が形成される。包装用箱の内部に物品が収容されると、一対の切断線から大径部が外部に突出して物品が位置決めされる。従って、包装用箱の内部で物品が安定的に保持される。
【先行技術文献】
【特許文献】
【０００３】
【特許文献１】実開平０１−１２６９６３号公報
【考案の概要】
【考案が解決しようとする課題】
【０００４】
しかしながら、特許文献１に記載の包装用箱によっては、包装される物品が大径部のない円柱状であれば、切断線から大径部を突出させることができず、包装用箱の内部で物品が回転などしないように安定的に保持できない。
【０００５】
そのため、本考案において、大径部のない円柱状の物品であっても箱の内部で安定的に保持できる包装用箱を提供することを目的とする。
【課題を解決するための手段】
【０００６】
〔１〕すなわち、本考案は、円形の底面及び天面を有する物品を包装する包装用箱であって、前記底面に対向し、四辺のうち、対向する一組の二辺である第１辺及び第２辺の長さが前記底面の径より短い方形状の底板と、前記底板における前記四辺のうち、前記第１辺及び前記第２辺に交差する第３辺に第１折目を介して連設され、前記物品の側面に対向する第１側板と、前記底板における、前記第３辺に対向する第４辺に第２折目を介して連設され、前記物品の前記側面に対向する第２側板と、前記物品の前記天面に対向し、各辺の長さが前記天面の径以上である方形状の頂板と、前記第１折目における長手方向の中間部に前記第１折目に沿って延びるように形成され、前記物品の底角部に嵌合する第１切断部と、前記第２折目における長手方向の中間部に前記第２折目に沿って延びるように形成され、前記物品の前記底角部に嵌合する第２切断部とを備え、前記頂板と前記底板との垂直距離は、前記物品における前記底面と前記天面との垂直距離に等しいことを特徴とする。なお、ここに言う「等しい」とは、厳密な意味ではない。すなわち、「等しい」とは、設計上、製造上の公差、誤差が許容され、「実質的に等しい」という意味である。
【０００７】
〔２〕前記第３辺及び前記第４辺の長さが前記底面の径以上であることを特徴とする前記〔１〕に記載の包装用箱である。
【０００８】
〔３〕そして、前記頂板は、前記物品における前記天面の一部を露出させる開口部を有することを特徴とする前記〔１〕又は前記〔２〕に記載の包装用箱である。
【０００９】
〔４〕そして、前記頂板の一端部であって、前記第３辺及び前記第４辺が延びる方向に交差する方向に延びる一端部から延出する延出板部と、前記延出板部に形成され、外部の部材に係合する係合孔とを備えることを特徴とする前記〔１〕から前記〔３〕のいずれかに記載の包装用箱である。
【考案の効果】
【００１０】
本考案の包装用箱によれば、長方形状の底板における短辺の長さが、物品における底面の径より短く、頂板と底板との間の垂直距離が物品における底面と天面との垂直距離に等しく、一対の第１切断部及び第２切断部が物品の底角部に嵌合する。従って、大径部のない円柱状の物品であっても箱の内部で回転しないように安定的に保持できる。
【図面の簡単な説明】
【００１１】
【図１】本考案の第１実施形態に係る包装用箱を示す外側展開図である。
【図２】本考案の第１実施形態に係る包装用箱に収容される物品を示す斜視図である。
【図３】本考案の第１実施形態に係る包装用箱を示す天側斜視図である。
【図４】本考案の第１実施形態に係る包装用箱を示す底側斜視図である。
【図５】本考案の第２実施形態に係る包装用箱を示す外側展開図である。
【図６】本考案の第２実施形態に係る包装用箱を示す底側斜視図である。
【考案を実施するための形態】
【００１２】
以下、本考案に係る包装用箱に関する実施の形態について、添付の図面に基づいて詳しく説明する。なお、以下に説明する各実施形態は、本考案を実施するに好ましい具体例であるから、技術的に種々の限定がなされているが、本考案は、以下の説明において特に考案を限定する旨が明記されていない限り、この形態に限定されるものではない。そして、説明中の上下方向、左右方向は、図１、図５における上下方向、左右方向に対応している。なお、以下の説明における「等しい」とは、厳密な意味ではない。すなわち、「等しい」とは、設計上、製造上の公差、誤差が許容され、「実質的に等しい」という意味である。また、「平行」、「垂直」も同様である。また、「以上」も下限値においては同様である。
【００１３】
［第１実施形態］
図１、図３及び図４は、本考案の第１実施形態を示している。第１実施形態に係る包装用箱は、図１、図３及び図４に示すように、底板１、第１側板２、第２側板３、頂板４を備え、図２に示す物品Ｓを包装する。物品Ｓは、円形の底面Ｂ１及び天面Ｂ３と、側面Ｂ２とを備える。底面Ｂ１と天面Ｂ３とは平行である。物品Ｓは、例えば円柱状であり、底面Ｂ１の径Ｄ１と天面Ｂ３の径Ｄ２とは等しい。
【００１４】
底板１は、方形状であり、物品Ｓの底面Ｂ１に対向する。底板１の四辺のうち、対向する一組の二辺である第１辺及び第２辺の長さは底面Ｂ１の径Ｄ１より短い。本実施形態においては、底板１は、長方形状であり、底板１における短辺の長さＬ１は底面Ｂ１の径Ｄ１より短い。また、底板１における長辺の長さＬ２は径Ｄ１以上である。本実施形態における各短辺が請求の範囲における第１辺、第２辺に相当する。
【００１５】
第１側板２は、底板１に第１折目１１を介して連設され、物品Ｓの側面Ｂ２に対向する。第１折目１１は、図１において、底板１における左側の長辺に形成される。本実施形態における当該左側の長辺が請求の範囲における第３辺に相当する。
【００１６】
第２側板３は、底板１に第２折目１２を介して連設され、物品Ｓの側面Ｂ２に対向する。第２折目１２は、図１において、底板１における右側の長辺に形成される。本実施形態における当該右側の長辺が請求の範囲における第４辺に相当する。各長辺は互いに対向し、各短辺は互いに対向し、各長辺と各短辺とは交差する。頂板４は、方形状であり、物品Ｓの天面Ｂ３に対向する。頂板４の各辺の長さは天面Ｂ３の径Ｄ２以上である。また、頂板４と底板１とは平行であり、頂板４と底板１との垂直距離は、物品Ｓにおける底面Ｂ１と天面Ｂ３との垂直距離（物品Ｓの高さＬ４）に等しい。
【００１７】
そして、第１実施形態に係る包装用箱は、図１に示すように、第１切断部３１、及び第２切断部３２を備える。第１切断部３１は、第１折目１１の長手方向の中間部に第１折目１１に沿って延びるように形成され、物品Ｓの底角部Ｇに嵌合する。底角部Ｇとは、底面Ｂ１と側面Ｂ２とが交わる角部である。第２切断部３２は、第２折目１２の長手方向の中間部に第２折目１２に沿って延びるように形成され、物品Ｓの底角部Ｇに嵌合する。第１切断部３１、第２切断部３２は、例えば上下に長いコの字状、又はＣ字状に形成される。
【００１８】
更に、第１実施形態に係る包装用箱は、図１に示すように、物品Ｓの側面Ｂ２に対向する第３側板５及び第４側板６と、頂板４の一端部から延出する延出板部８と、第１差込片１３、第２差込片１４及び貼着片１５と、第１フラップ片２１、第２フラップ片２２、第３フラップ片２３及び第４フラップ片２４とを備える。
【００１９】
第３側板５は、図１に示すように、逆台形状であり、下側の短辺において、折目５１を介して底板１における上側の短辺に連設される。頂板４は、折目５２を介して第３側板５における上側の長辺に連設される。第４側板６は、図１に示すように、台形状であり、上側の短辺において、折目５３を介して底板１における下側の短辺に連設される。
【００２０】
第１差込片１３は、図１に示すように、折目５９を介して、第１側板２における底板１と連設される辺に対向する辺に連設される。第１差込片１３は、略長方形状であり、一方の長辺において第１側板２に連設される。第１差込片１３における他方の長辺は内側にくぼんでいる。第２差込片１４は、図１に示すように、折目６０を介して、第２側板３における底板１と連設される辺に対向する辺に連設される。第２差込片１４は、略長方形状であり、一方の長辺において第２側板３に連設される。第２差込片１４における他方の長辺は内側にくぼんでいる。
【００２１】
貼着片１５は、図１に示すように、逆台形状であり、上側の長辺において、折目５４を介して第４側板６における下側の長辺に連設される。また、貼着片１５は、内側面（図１における紙面の裏側面）において、延出板部８の内側面に糊付けされる。貼着片１５が延出板部８に糊付けされることによって、図３、図４に示すように、底板１、第３側板５、頂板４及び第４側板６によって、物品Ｓを収容する収容空間１０が形成される。収容空間１０に物品Ｓが収容されているとき、第３側板５及び第４側板６は、底板１及び頂板４に対して垂直である。また、収容空間１０に物品Ｓが収容されているとき、底板１と頂板４とは平行である。そして、収容空間１０の高さＬ３、すなわち底板１と頂板４との垂直距離と、物品Ｓの高さＬ４（図２参照）、すなわち底面Ｂ１と天面Ｂ３との垂直距離とは、等しい寸法に設定される。従って、収容空間１０に物品Ｓが収容されているとき、物品Ｓの底面Ｂ１は底板１に当接する。
【００２２】
また、収容空間１０に物品Ｓが収容されているときに、第１折目１１及び第２折目１２が折られると、第１側板２、第２側板３によって、収容空間１０が閉じられる。第１側板２、第２側板３が収容空間１０を閉じるとき、図１において、第１側板２及び第２側板３における上側の辺が第３側板５の各斜辺に合致し、第１側板２及び第２側板３における下側の辺が第４側板６の各斜辺に合致する。また、第１側板２、第２側板３が収容空間１０を閉じるとき、第１差込片１３、第２差込片１４は、図３、図４に示すように、包装用箱の内部に差し込まれる。
【００２３】
第１フラップ片２１は、図１に示すように、折目５５を介して第３側板５における一方の斜辺に連設される。第２フラップ片２２は、折目５６を介して第３側板５における他方の斜辺に連設される。第３フラップ片２３は、折目５７を介して第４側板６における一方の斜辺に連設される。第４フラップ片２４は、折目５８を介して第４側板６における他方の斜辺に連設される。第１フラップ片２１、第２フラップ片２２、第３フラップ片２３、第４フラップ片２４は台形状であり、第１側板２、第２側板３が収容空間１０を閉じるとき、図３、図４に示すように、包装用箱の内部に差し込まれる。
【００２４】
［頂板４、延出板部８］
次に、図１、図３、図４を参照して、頂板４及び延出板部８を更に詳細に説明する。頂板４は、図１、図３に示すように、略正方形であり、物品Ｓにおける天面Ｂ３の一部を露出させる開口部７を有する。開口部７は、略円形である。開口部７には、内側に突出するように、装飾用凸部７２を設けることができる。開口部７の径は、物品Ｓにおける天面Ｂ３の径Ｄ２より小さい。開口部７の中心は、頂板４の重心に略一致する。
【００２５】
延出板部８は、頂板４と一体的に形成されており、図１において、頂板４における上側の端部７１から延出する。端部７１が延びる方向は、図１、図３、図４において、底板１における各長辺が延びる方向に交差する方向である。本実施形態における端部７１が請求の範囲における「一端部」に相当する。
【００２６】
なお、貼着片１５は、図１、図３に示すように、折目５４が端部７１に合致するように、延出板部８に糊付けされる。そして、図１において、端部７１から折目５１までの長さと、折目５１から折目５４までの長さとは、等しい長さに設定される。換言すれば、図１において、上下方向における頂板４の長さと第３側板５の長さとの合算値と、上下方向における底板１の長さと第４側板６の長さとの合算値とは、等しい大きさに設定される。各合算値が等しいことによって、貼着片１５を延出板部８に糊付けした状態において、図１に示す展開板材を折目５１において平たく二つ折りにすることができる。従って、貼着片１５を延出板部８に糊付けした状態において、多数の展開板材をより小さなスペースに収納することができ、省スペース化を図ることができる。なお、各合算値が等しいことは本考案において必須ではない。
【００２７】
また、延出板部８は、外部の部材に係合する係合孔９を有する。係合孔９は、例えば横棒状のフックに係合する。また、係合孔９は、延出板部８における頂板４と連設される端部に対向する先端部の近傍に、延出板部８を厚み方向に貫通するように形成される。
【００２８】
［第１切断部３１、第２切断部３２］
次に、図１及び図４を参照して、第１切断部３１及び第２切断部３２を更に詳細に説明する。
【００２９】
第１切断部３１及び第２切断部３２は、図１、図４に示すように、第１折目１１及び第２折目１２における長手方向の略中央部に形成されている。底板１における短辺の長さＬ１が物品Ｓにおける底面Ｂ１の径Ｄ１より短いことから、物品Ｓの底面Ｂ１が底板１に当接すると、物品Ｓの底角部Ｇに第１切断部３１及び第２切断部３２が嵌合する。底角部Ｇに第１切断部３１及び第２切断部３２が嵌合すると、第１側板２、第２側板３は、物品Ｓの側面Ｂ２に押され、外側に撓む。第１側板２、第２側板３が外側に撓むと、反力によって、物品Ｓは、軸心を中心とする回転が阻止され、収容空間１０の内部において安定的に保持される。
【００３０】
以上、図１〜図４を参照して説明したように、本実施形態によれば、長方形状の底板１における短辺の長さＬ１が物品Ｓにおける底面Ｂ１の径Ｄ１より短く、頂板４と底板１との垂直距離（収容空間１０の高さＬ３）が物品Ｓにおける底面Ｂ１と天面Ｂ３との垂直距離（物品Ｓの高さＬ４）に等しく、一対の第１切断部３１及び第２切断部３２が物品Ｓの底角部Ｇに嵌合する。従って、物品Ｓが大径部のない円柱状であっても収容空間１０の内部で回転しないように安定的に保持できる。また、本実施形態によれば、第１切断部３１、第２切断部３２が例えばコの字状、又はＣ字状に形成される。従って、第１切断部３１、第２切断部３２を比較的に小さなサイズ、面積に形成しても、物品Ｓの回転を効果的に抑えることができ、包装用箱の強度低下を防止することができる。
【００３１】
また、図１、図３を参照して説明したように、本実施形態によれば、頂板４は、物品Ｓにおける天面Ｂ３の一部を露出させる開口部７を有する。従って、包装用箱の外部から物品Ｓを確認することができる。また、天面Ｂ３にデザインを施すことによって、当該デザインが開口部７を通して包装用箱の外部から視認可能となり、包装用箱のデザイン性を高めることもできる。
【００３２】
また、図１、図３を参照して説明したように、本実施形態によれば、延出板部８が頂板４の端部７１から延出する。延出板部８にはデザインを施すことができ、包装用箱にデザインを施すスペースが増大する。従って、包装用箱のデザイン性を高めることができる。また、開口部７があれば、開口部７を通して視認可能な物品Ｓのデザインとの相乗効果を発揮するように、延出板部８にデザインを施すことができ、包装用箱のデザイン性を更に高めることができる。
【００３３】
また、図１、図３を参照して説明したように、本実施形態によれば、係合孔９が延出板部８に形成される。従って、係合孔９を例えば横棒状のフックに係合することができ、物品Ｓを販売するときに物品Ｓを容易に陳列することができる。
【００３４】
［第２実施形態］
次に、図５、図６を参照して、本考案の第２実施形態を説明する。以下の説明においては、第１実施形態の各部材に対応する部材には、対応する符号を付している。また、以下の説明においては、第１実施形態と異なる部分を主に説明し、第１実施形態と同様の部分については説明を割愛する。
【００３５】
第２実施形態に係る包装用箱においては、図５、図６に示すように、第１側板２Ａ、第２側板３Ａにおける短手方向（図５において左右方向）の中間部に、底板１Ａの長辺に平行な第３折目４１、第４折目４２が形成される。第１側板２Ａ、第２側板３Ａは、第３折目４１、第４折目４２を境界として、それぞれ２つの領域に区分される。すなわち、第１側板２Ａ、第２側板３Ａは、底板１Ａ側の領域と、第１差込片１３Ａ側又は第２差込片１４Ａ側の領域とに区分される。従って、第１側板２Ａ、第２側板３Ａが、物品Ｓの側面Ｂ２に押されて外側に撓むとき、主に底板１Ａ側の領域を撓ませることができ、包装用箱の外観を向上させることができる。
【００３６】
なお、第２実施形態に係る包装用箱においても、長方形状の底板１Ａにおける短辺の長さＬ１１は物品Ｓにおける底面Ｂ１の径Ｄ１より短く、一対の第１切断部３１Ａ及び第２切断部３２Ａが物品Ｓの底角部Ｇに嵌合する。従って、第２実施形態に係る包装用箱においても、物品Ｓが大径部のない円柱状であっても収容空間１０の内部で回転しないように安定的に保持できる。また、第２実施形態に係る包装用箱においても、収容空間１０Ａの高さＬ１３は、物品Ｓの高さＬ４と等しい寸法に設定される。
【００３７】
また、第２実施形態に係る包装用箱においても、頂板４Ａは、物品Ｓにおける天面Ｂ３の一部を露出させる開口部７Ａを有する。従って、包装用箱の外部から物品Ｓを確認することができる。また、天面Ｂ３にデザインを施すことによって、包装用箱のデザイン性を高めることができる。
【００３８】
また、第２実施形態に係る包装用箱においても、延出板部８Ａが頂板４Ａの端部７１Ａから延出する。延出板部８Ａにはデザインを施すことができ、包装用箱にデザインを施すスペースが増大する。また、延出板部８Ａに施したデザインと、開口部７Ａを通して視認可能な物品Ｓのデザインとの相乗効果によって、包装用箱のデザイン性を更に高めることができる。また、第２実施形態に係る包装用箱においても、係合孔９Ａが延出板部８Ａに形成される。従って、物品Ｓを販売するときに物品Ｓを容易に陳列することができる。
【００３９】
以上、図面（図１〜図６）を参照しながら本考案の実施形態を説明した。但し、本考案は、上記の実施形態に限られるものではなく、その要旨を逸脱しない範囲で種々の態様において実施することが可能である（例えば、下記に示す（１）〜（６））。
【００４０】
（１）図１〜図６を参照して説明したように、上記実施形態では、物品Ｓは円柱状であるが、これに限らず、物品Ｓは、逆円錐台形状、円錐台形状、又は側面における高さ方向の中央部が膨出しているビール樽状であってもよい。また、物品Ｓは、ネジ式の蓋を有する円柱状の缶であってもよい。また、物品Ｓが例えばビール樽状であり、物品Ｓの径が高さ方向の中央部において大きくなっているとき、物品Ｓの側面Ｂ２が各側板に当接しないように、頂板４における各辺の長さを長めに設定することが望ましい。頂板４における各辺の長さを長めに設定することによって、各側板の内側面に傷がつくことを防止できる。
【００４１】
（２）図１〜図６を参照して説明したように、上記実施形態では、底板１における長辺の長さＬ２は物品Ｓにおける底面Ｂ１の径Ｄ１以上であったが、これに限らず、長辺の長さＬ２は底面Ｂ１の径Ｄ１より短くてもよい。また、底板１は正方形であってもよく、従って、全ての辺の長さが等しくてもよい。しかしながら、底板１における長辺の長さＬ２が底面Ｂ１の径Ｄ１以上であると、物品Ｓを包装用箱に収容しやすくなるため好ましい。なお、長さＬ２が径Ｄ１より短いときには、折目５１と折目５３とに更に切断部を設けると、当該切断部と底角部Ｇとの嵌合によって、物品Ｓの回転を更に抑えることができ、好ましい。また、第３側板５及び第４側板６の変形を抑えることもできる。
【００４２】
（３）図１〜図６を参照して説明したように、上記実施形態では、第１切断部３１、第２切断部３２は、コの字状又はＣ字状であったが、これに限らず、長手方向の中間部が膨らんだラグビーボール状であってもよい。しかしながら、ラグビーボール状の切断部は面積が大きくなる。従って、第１切断部３１、第２切断部３２は、上記の通り、コの字状又はＣ字状であることが強度低下を防止できる点で好ましい。
【００４３】
（４）図１〜図６を参照して説明したように、上記実施形態では、第３側板５は逆台形状であり、第４側板６は台形状であるが、これに限らず、物品Ｓの形状に応じて、第３側板５、第４側板６は適宜形状に形成することができる。例えば、物品Ｓが逆円錐台形状であれば、第３側板５は方形状又は台形状に形成されることがあり、第４側板６は方形状又は逆台形状に形成されることがある。
【００４４】
（５）図１〜図６を参照して説明したように、上記実施形態では、貼着片１５が延出板部８に糊付けされたが、これに限らず、第１差込片１３及び第２差込片１４が貼着片として糊付けされてもよい。すなわち、第１差込片１３及び第２差込片１４における外側面を頂板４の内側面に糊付けする一方、貼着片１５の外側面が頂板４の内側面に接するように、貼着片１５を差し込むようにしてもよい。
【００４５】
（６）図１〜図６を参照して説明したように、上記実施形態では、延出板部８が頂板４の端部７１から延出するが、これに限らず、本考案に係る包装用箱は、延出板部８の代わりに、貼着片１５における第４側板６と連設される辺の反対側の辺から延出する延出板部を備えてもよい。当該延出板部を本考案に係る包装用箱が備えるとき、貼着片１５は、例えば頂板４の端部７１に連設される図示しない糊代部の内側面に糊付けされる。
【符号の説明】
【００４６】
Ｂ１…底面
Ｂ２…側面
Ｂ３…天面
１、１Ａ…底板
２、２Ａ…第１側板
３、３Ａ…第２側板
４、４Ａ…頂板
７、７Ａ…開口部
８、８Ａ…延出板部
９、９Ａ…係合孔
１１、１１Ａ…第１折目（第３辺）
１２、１２Ａ…第２折目（第４辺）
３１、３１Ａ…第１切断部
３２、３２Ａ…第２切断部
５１…折目（第１辺）
５３…折目（第２辺）
７１、７１Ａ…端部（一端部）
【図１】
0003215306.tif 000003
【図２】
0003215306.tif 000004
【図３】
0003215306.tif 000005
【図４】
0003215306.tif 000006
【図５】
0003215306.tif 000007
【図６】
0003215306.tif 000008